(57)【要約】【課題】所定のリソースを確保しつつ、周辺基地局装置に与える干渉を抑制するとともに、周辺基地局装置の制御チャネルの制御データの品質劣化を防ぐこと。【解決手段】ＩＦＦＴ部１０５は、制御データとＰＤＳＣＨデータとを直交周波数分割多重処理することにより、サブフレーム毎に、サブフレームの先頭からＮ（Ｎは、任意の正の整数）ＯＦＤＭシンボルに振り分けた制御データと、先頭からＮＯＦＤＭシンボルの後方のＯＦＤＭシンボルに振り分けたＰＤＳＣＨデータとを含むＯＦＤＭ信号を生成する。送信電力制御部１０６は、ＯＦＤＭ信号において、周辺基地局装置の制御データの送信タイミングと重なる送信タイミングのＰＤＳＣＨデータの送信電力を、重なる送信タイミング以外の送信タイミングのＰＤＳＣＨデータの送信電力よりも低減する制御を行う。【選択図】図１
2012034211.tif 000002
【特許請求の範囲】
【請求項１】
周辺基地局装置が形成するセルと異なる大きさのセルを形成するとともに、前記周辺基地局装置と同一の通信方式であるＯＦＤＭ方式により通信する基地局装置であって、
複数チャネルのデータを直交周波数分割多重処理することにより、所定の送信期間毎に、前記送信期間の先頭から所定数のシンボルに振り分けた制御データと、前記所定数のシンボルの後方のシンボルに振り分けた送信データとを含むＯＦＤＭ信号を生成する直交周波数分割多重手段と、
前記ＯＦＤＭ信号において、前記周辺基地局装置の制御データの送信タイミングと重なる送信タイミングの前記送信データの送信電力を、前記重なる送信タイミング以外の送信タイミングの前記送信データの送信電力よりも低減する制御を行う送信電力制御手段と、
前記送信電力制御手段により制御された送信電力で前記ＯＦＤＭ信号を送信する送信手段と、
を具備する基地局装置。
【請求項２】
前記ＯＦＤＭ信号における制御データと、前記周辺基地局装置の制御データとの送信タイミングが重ならないように、前記直交周波数分割多重手段により生成した前記ＯＦＤＭ信号の送信タイミングを調整する調整手段をさらに具備し、
前記送信電力制御手段は、前記周辺基地局装置の制御データの送信タイミングと、前記調整手段により送信タイミングを調整した前記ＯＦＤＭ信号における前記送信データの送信タイミングとが重なる場合に、前記制御を行う請求項１記載の基地局装置。
【請求項３】
前記送信電力制御手段は、シンボル単位で前記制御を行うとともに、送信電力を低減するシンボル数を固定にする請求項１記載の基地局装置。
【請求項４】
前記送信電力制御手段は、シンボル単位で前記制御を行うとともに、送信電力を低減するシンボル数を、前記周辺基地局装置が制御データを振り分け可能な最大シンボル数と同一にする請求項１記載の基地局装置。
【請求項５】
前記送信電力制御手段は、シンボル単位で前記制御を行うとともに、送信電力を低減するシンボル数を、前記周辺基地局装置が制御データを振り分けるシンボル数に合わせて適応的に変化させる請求項１記載の基地局装置。
【請求項６】
前記周辺基地局装置が形成するマクロセルと異なる大きさのセルを形成する請求項１記載の基地局装置。
【請求項７】
前記周辺基地局装置が形成するセルと異なる大きさのマクロセルを形成する請求項１記載の基地局装置。
【請求項８】
周辺基地局装置が形成するセルと異なる大きさのセルを形成するとともに、前記周辺基地局装置と同一の通信方式であるＯＦＤＭ方式により通信する基地局装置における送信電力制御方法であって、
複数チャネルのデータを直交周波数分割多重処理することにより、所定の送信期間毎に、前記送信期間の先頭から所定数のシンボルに振り分けた制御データと、前記所定数のシンボルの後方のシンボルに振り分けた送信データとを含むＯＦＤＭ信号を生成するステップと、
前記ＯＦＤＭ信号において、前記周辺基地局装置の制御データの送信タイミングと重なる送信タイミングの前記送信データの送信電力を、前記重なる送信タイミング以外の送信タイミングの前記送信データの送信電力よりも低減する制御を行うステップと、
を具備する送信電力制御方法。
【発明の詳細な説明】
【技術分野】
【０００１】
本発明は、基地局装置及び送信電力制御方法に関し、例えばマクロセルを形成する基地局装置の下り制御チャネルのデータが、小型基地局から送信する下りデータチャネルのデータと干渉する場合において、下り制御チャネルに対する干渉を緩和する基地局装置及び送信電力制御方法に関する。
【背景技術】
【０００２】
移動体通信の通信規格の一つであるＬＴＥ（Long Term Evolution）は、従来の通信規格と比較して、周波数利用効率の向上及び低遅延を特徴とするものであり、将来の移動体通信ビジネスの発展を支える規格として期待されている。
【０００３】
ＬＴＥの下り変調方式にはＯＦＤＭ（Orthogonal Frequency Division Multiplexing）方式が採用されており、周波数領域における情報シンボルの最小単位は１サブキャリアとなる。１２サブキャリアを１リソースブロック（Resource Block）（以下、「ＲＢ」と記載する）と呼び、これが各下りチャネルの割り当て単位となる。ＬＴＥでは、１ＲＢのフレームフォーマットを所定の周波数領域で繰り返し連続して配置することで下りチャネルを構成する。なお、繰り返し連続して配置するＲＢ数は、移動局への送信情報量または下り伝播路環境に応じて、基地局装置のスケジューラにより決定される。
【０００４】
時間方向で見ると、各チャネルの送信割り当て単位を１サブフレームと呼び、ｎｏｒｍａｌ  ＣＰ（Cyclic Prefix）時は、１４ＯＦＤＭシンボルで構成される。なお、Ｅｘｔｅｎｄｅｄ  ＣＰ時は、１２ＯＦＤＭシンボルで構成される。このうち、先頭から１〜３ＯＦＤＭシンボルに制御チャネル（ＣＣＨ：Control Channel）（以下、「ＣＣＨ」と記載する）が割り当てられる。残りのＯＦＤＭシンボルにデータチャネル、同期チャネルまたは報知チャネルが割り当てられる。以下の説明では、データチャネルと、同期チャネルと、報知チャネルとをまとめて共通チャネル（ＳＣＨ：Shared Channel）（以下、「ＳＣＨ」と記載する）として記載する。ＣＣＨが割り当てられるＯＦＤＭシンボル数は、サブフレーム当たりに必要な制御情報量によって異なり、ＣＦＩ（Control Format Indicator）によって決まる。また、参照信号（ＲＳ：Reference Signal）は、送信アンテナ毎に時間領域及び周波数領域で間欠的に割り当てられる。
【０００５】
また、近年、携帯電話の不感地帯をカバーするために、ピコセル（Pico cell）またはＨｏｍｅ  ｅＮＢ（以下、「小型ｅＮＢ」と記載する）と呼ばれる小型基地局装置の開発が行われている。小型ｅＮＢは主に宅内や、企業内に設置することを想定しており、収容端末数は、一般的には数個、多くても百個程度と言われる。また、小型ｅＮＢが形成するセルは、従来のマクロ基地局装置（以下、「ＭｅＮＢ」と記載する）が形成するセルよりも小さい。
【０００６】
従来のＭｅＮＢは、事前に通信事業者が適切な置局設計を行って設置されるため、セル間干渉はさほど問題にならない。一方、小型ｅＮＢは、送信電力が小さい上、エンドユーザが任意の場所に設置可能なため、ＭｅＮＢとの干渉が大きな問題となる。特に既存のＭｅＮＢへの通信に支障を与えることはあってはならない。とりわけ、下り制御チャネルへ干渉を与えると、ＭｅＮＢの下りデータ通信のみならず、ＭｅＮＢ配下の移動局（以下、「ＭＵＥ」と記載する）への報知情報または上り通信等にも重大な支障をきたす。
【０００７】
このような干渉を防ぐため、移動体通信規格の標準化団体である３ＧＰＰ（3rd Generation Partnership Project）では、非特許文献１や非特許文献２に記載されるように、様々な技術提案がなされている。非特許文献１では、ＭｅＮＢの制御チャネルの一部をパンクチャリングする技術が提案されている。また、非特許文献２では、ＭｅＮＢが下り伝播路損失が少ないＭＵＥを特定のサブフレームに集中的にスケジューリングすることで、当該サブフレームの下り送信電力を低く抑え、小型ｅＮＢへの干渉を低減する技術が提案されている。
【先行技術文献】
【非特許文献】
【０００８】
【非特許文献１】R1-103227 " Interference coordination for control channels for HetNet "(Fujitsu)
【非特許文献２】R1-103690 " Downlink power reduction ICIC method for macro-pico co-channel deployment "(New Postcom)
【発明の概要】
【発明が解決しようとする課題】
【０００９】
しかしながら、非特許文献１においては、制御チャネルをパンクチャリングするので、制御チャネルの受信性能を低下させる上、多数のＭＵＥで共有するＭｅＮＢのリソースが逼迫するという問題がある。
【００１０】
また、非特許文献２においては、下り伝播損失が高いＭＵＥへの下り送信が特定のサブフレームに集中することになるため、そのサブフレームにおいては下り送信電力が高くなり、小型ｅＮＢは大きな干渉を受けるという問題がある。
【００１１】
本発明の目的は、所定のリソースを確保しつつ、周辺基地局装置に与える干渉を抑制することができるとともに、周辺基地局装置の制御チャネルの制御データの品質劣化を防ぐことができる基地局装置及び送信電力制御方法を提供することである。
【課題を解決するための手段】
【００１２】
本発明の基地局装置は、周辺基地局装置が形成するセルと異なる大きさのセルを形成するとともに、前記周辺基地局装置と同一の通信方式であるＯＦＤＭ方式により通信する基地局装置であって、複数チャネルのデータを直交周波数分割多重処理することにより、所定の送信期間毎に、前記送信期間の先頭から所定数のシンボルに振り分けた制御データと、前記所定数のシンボルの後方のシンボルに振り分けた送信データとを含むＯＦＤＭ信号を生成する直交周波数分割多重手段と、前記ＯＦＤＭ信号において、前記周辺基地局装置の制御データの送信タイミングと重なる送信タイミングの前記送信データの送信電力を、前記重なる送信タイミング以外の送信タイミングの前記送信データの送信電力よりも低減する制御を行う送信電力制御手段と、前記送信電力制御手段により制御された送信電力で前記ＯＦＤＭ信号を送信する送信手段と、を具備する構成を採る。
【００１３】
本発明の送信電力制御方法は、周辺基地局装置が形成するセルと異なる大きさのセルを形成するとともに、前記周辺基地局装置と同一の通信方式であるＯＦＤＭ方式により通信する基地局装置における送信電力制御方法であって、複数チャネルのデータを直交周波数分割多重処理することにより、所定の送信期間毎に、前記送信期間の先頭から所定数のシンボルに振り分けた制御データと、前記所定数のシンボルの後方のシンボルに振り分けた送信データとを含むＯＦＤＭ信号を生成するステップと、前記ＯＦＤＭ信号において、前記周辺基地局装置の制御データの送信タイミングと重なる送信タイミングの前記送信データの送信電力を、前記重なる送信タイミング以外の送信タイミングの前記送信データの送信電力よりも低減する制御を行うステップと、を具備するようにした。
【発明の効果】
【００１４】
本発明によれば、所定のリソースを確保しつつ、周辺基地局装置に与える干渉を抑制することができるとともに、周辺基地局装置の制御チャネルの制御データの品質劣化を防ぐことができる。
【図面の簡単な説明】
【００１５】
【図１】本発明の実施の形態１に係る基地局装置の構成を示すブロック図
【図２】本発明の実施の形態１における通信端末装置の構成を示すブロック図
【図３】本発明の実施の形態１に係る基地局装置と基地局装置の周辺基地局とにおける送信電力の制御方法を示す図
【図４】本発明の実施の形態１に係る基地局装置と基地局装置の周辺基地局とにおける送信電力の他の制御方法を示す図
【図５】本発明の実施の形態２に係る基地局装置の構成を示すブロック図
【図６】本発明の実施の形態２に係る基地局装置と基地局装置の周辺基地局とにおける送信電力の制御方法を示す図
【図７】本発明の実施の形態３に係る基地局装置と基地局装置の周辺基地局とにおける送信電力の制御方法を示す図
【発明を実施するための形態】
【００１６】
以下、本発明の実施の形態について、図面を参照して詳細に説明する。
【００１７】
（実施の形態１）
以下に、本発明の実施の形態１に係る基地局装置１００の構成について、図１を用いて詳細に説明する。また、ＭｅＮＢと小型ｅＮＢは同一構成であるので、本実施の形態において、基地局装置１００は、ＭｅＮＢと小型ｅＮＢの何れであってもよい。ただし、ＭｅＮＢのＣＣＨシンボルと小型ｅＮＢのＣＣＨシンボルとが時間軸上で重ならないように、ＭｅＮＢと小型ｅＮＢの何れか一方の送信タイミングを、何れか他方の送信タイミングに対して、ＯＦＤＭシンボル単位で時間軸上においてシフトする。また、本実施の形態において、時間軸上のＯＦＤＭシンボルの上記のシフト量は、３ＯＦＤＭシンボルとするが、本発明はこれに限らず、Ｎ（Ｎは、任意の正の整数）ＯＦＤＭシンボルでもよい。
【００１８】
図１は、本実施の形態に係る基地局装置１００の構成を示すブロック図である。
【００１９】
基地局装置１００は、ＣＣＨ変調部１０１と、ＳＣＨ変調部１０２と、チャネル選択部１０３と、リソースマッピング部１０４と、ＩＦＦＴ部１０５と、送信電力制御部１０６と、付加部１０７と、送信タイミング調整部１０８と、ＲＦ部１０９と、アンテナ１１０とから主に構成される。
【００２０】
ＣＣＨ変調部１０１は、入力したＣＣＨの制御データ（以下、「ＣＣＨデータ」と記載する）を変調した制御チャネルシンボル（以下、「ＣＣＨシンボル」と記載する）をチャネル選択部１０３へ出力する。ここで、ＣＣＨは、ＰＤＣＣＨ（Physical Downlink Control Channel）と、ＰＨＩＣＨ（Physical Hybrid-ARQ Indicator Channel）と、ＰＣＦＩＣＨ（Physical Control Format Indicator Channel）とを含む。
【００２１】
ＳＣＨ変調部１０２は、入力したＳＣＨのデータ（以下、「ＳＣＨデータ」と記載する）を変調した共通チャネルシンボル（以下、「ＳＣＨシンボル」）をチャネル選択部１０３へ出力する。ここで、ＳＣＨは、ＰＤＳＣＨ（Physical Downlink Shared Channel）と、Ｐ−ＳＣＨ（Primary-Synchronization Channel）と、Ｓ−ＳＣＨ（Secondary-Synchronization Channel）と、ＰＢＣＨ（Physical Broadcast Channel）とを含む。
【００２２】
チャネル選択部１０３は、入力したサブフレーム毎のシンボル番号情報に応じて、ＣＣＨ変調部１０１から入力したＣＣＨシンボルを選択するとともに、ＳＣＨ変調部１０２から入力したＳＣＨシンボルを選択する。具体的には、チャネル選択部１０３は、入力したシンボル番号情報のシンボル番号がｔ０の場合にはＣＣＨシンボルを選択する。また、チャネル選択部１０３は、入力したシンボル番号情報のシンボル番号がｔ１〜ｔ２の場合には何も選択しない。また、チャネル選択部１０３は、入力したシンボル番号情報のシンボル番号がｔ３〜ｔ１３の場合には各シンボル番号に応じたＳＣＨシンボルを選択する。そして、チャネル選択部１０３は、選択したＣＣＨシンボル及びＳＣＨシンボルをリソースマッピング部１０４へ出力する。なお、チャネル選択部１０３は、何も選択しない場合にはリソースマッピング部１０４へは何も出力しない。
【００２３】
リソースマッピング部１０４は、チャネル選択部１０３から入力したＣＣＨシンボルまたはＳＣＨシンボルを周波数軸上に配置してＩＦＦＴ部１０５へ出力する。
【００２４】
ＩＦＦＴ部１０５は、入力したシンボル番号情報に基づいて、リソースマッピング部１０４から入力したＣＣＨシンボルまたはＳＣＨシンボルに対してＯＦＤＭ変調処理である逆離散フーリエ変換処理を行ってＯＦＤＭ信号を形成する。また、ＩＦＦＴ部１０５は、形成したＯＦＤＭ信号を送信電力制御部１０６へ出力する。ＯＦＤＭ信号は、例えば、サブフレーム毎に１４ＯＦＤＭシンボルから構成される。また、各ＯＦＤＭシンボルは、例えば、所定の周波数帯であるリソースブロックにおいて１２サブキャリアから構成される。
【００２５】
送信電力制御部１０６は、入力したシンボル番号情報に従って、ＩＦＦＴ部１０５から入力したＯＦＤＭ信号のＳＣＨシンボルのうちのＰＤＳＣＨシンボル（データチャネルシンボル）の送信電力制御を行う。この際、送信電力制御部１０６は、入力したタイミング情報に基づいて、周辺基地局のＣＣＨシンボルの送信タイミングと重なるＰＤＳＣＨシンボルの送信電力を、所定量だけ低減する制御を行う。そして、送信電力制御部１０６は、送信電力制御を行ったＯＦＤＭ信号を付加部１０７へ出力する。なお、送信電力制御部１０６における詳細な動作については後述する。
【００２６】
付加部１０７は、送信電力制御部１０６から入力したＯＦＤＭ信号の後半部をＣＰとして複製し、複製したＣＰをＯＦＤＭ信号の先頭に配置する。また、付加部１０７は、ＣＰ付きＯＦＤＭ信号に対して、隣接シンボル間の連続性を保持するために窓関数を乗じる。また、付加部１０７は、窓関数を乗じたＯＦＤＭ信号を送信タイミング調整部１０８へ出力する。
【００２７】
送信タイミング調整部１０８は、必要に応じて、入力したタイミング情報を参照してサブフレームのタイミングを監視し、監視結果に基づいて、付加部１０７から入力したＯＦＤＭ信号をＯＦＤＭシンボル単位で時間上においてシフトする。また、送信タイミング調整部１０８は、時間軸上でシフトしたＯＦＤＭ信号をＲＦ部１０９へ出力する。ただし、送信タイミング調整部１０８は、自局がＭｅＮＢと小型ｅＮＢの何れか一方である場合、周辺基地局であるＭｅＮＢと小型ｅＮＢの何れか他方において送信タイミングを時間上においてシフトしている場合には、付加部１０７から入力したＯＦＤＭ信号を時間上においてシフトせずにＲＦ部１０９へ出力する。
【００２８】
ＲＦ部１０９は、送信タイミング調整部１０８から入力したＯＦＤＭ信号をベースバンド信号から高周波信号に周波数変換してアンテナ１１０へ出力する。
【００２９】
アンテナ１１０は、ＲＦ部１０９から入力した高周波信号を後述する通信端末装置２００へ送信する。
【００３０】
以上で、基地局装置１００の構成の説明を終える。
【００３１】
次に、本発明の実施の形態１における通信端末装置２００の構成について、図２を用いて詳細に説明する。
【００３２】
図２は、本実施の形態に係る通信端末装置２００の構成を示すブロック図である。
【００３３】
通信端末装置２００は、アンテナ２０１と、ＲＦ部２０２と、受信タイミング調整部２０３と、ＣＰ除去部２０４と、ＦＦＴ部２０５と、等化部２０６と、リソースデマッピング部２０７と、チャネル選択部２０８と、合成部２０９と、ＣＣＨ復調部２１０と、ＳＣＨ復調部２１１とから主に構成される。
【００３４】
アンテナ２０１は、基地局装置１００から高周波信号を受信してＲＦ部２０２へ出力する。
【００３５】
ＲＦ部２０２は、アンテナ２０１から入力した高周波信号をベースバンド信号に周波数変換して受信タイミング調整部２０３へ出力する。
【００３６】
受信タイミング調整部２０３は、通信中のＭｅＮＢまたは小型ｅＮＢの何れか一方の基地局装置１００から受信したＯＦＤＭ信号が時間上でシフトされている場合には、入力したタイミング情報を参照してサブフレームのタイミングを監視し、監視結果に基づいて、ＲＦ部から入力したベースバンド信号であるＯＦＤＭ信号を時間軸上においてシフトする。具体的には、受信タイミング調整部２０３は、基地局装置１００の送信タイミング調整部１０８で時間軸上においてシフトする前のタイミングに戻す。また、受信タイミング調整部２０３は、時間上においてシフトしたＯＦＤＭ信号をＣＰ除去部２０４へ出力する。また、受信タイミング調整部２０３は、通信中のＭｅＮＢまたは小型ｅＮＢの何れか一方の基地局装置１００から受信したＯＦＤＭ信号が時間軸上でシフトしていない場合には、ＲＦ部２０２から入力したＯＦＤＭ信号を時間軸上においてシフトせずにＣＰ除去部２０４へ出力する。
【００３７】
ＣＰ除去部２０４は、受信タイミング調整部２０３から入力したＯＦＤＭ信号より、あらかじめ定めたシンボルタイミングに基づきＣＰを除去してＦＦＴ部２０５へ出力する。
【００３８】
ＦＦＴ部２０５は、ＣＰ除去部２０４から入力したＯＦＤＭ信号をＯＦＤＭ復調である離散フーリエ変換して等化部２０６へ出力する。
【００３９】
等化部２０６は、ＦＦＴ部２０５から入力したＯＦＤＭ信号より参照信号を抽出する。また、等化部２０６は、抽出した参照信号とあらかじめ記憶する参照信号のレプリカとを用いて伝搬路のチャネル応答を求め、求めた伝搬路のチャネル応答よりチャネル推定値を求める等により、ＯＦＤＭ信号の等化処理を行う。また、等化部２０６は、等化処理後のＯＦＤＭ信号をリソースデマッピング部２０７へ出力する。ここで、チャネル推定値を求める方法としては、ＥＧＣ（Ｅｑｕａｌ  Ｇａｉｎ  Ｃｏｍｂｉｎｉｎｇ）またはＭＭＳＥ（Ｍｉｎｉｍｕｍ  Ｍｅａｎ  Ｓｑｕａｒｅ  Ｅｒｒｏｒ）等の様々な方法を用いることができる。
【００４０】
リソースデマッピング部２０７は、入力したシンボル番号情報に基づいて、等化部２０６から入力したＯＦＤＭ信号より、自局に必要なデータを抽出する。具体的には、リソースデマッピング部２０７は、シンボル番号情報のシンボル番号がＣＣＨシンボルをマッピングしているｔ０である場合、自局に割り当てられたＣＣＨシンボルを抽出する。また、リソースデマッピング部２０７は、シンボル番号情報のシンボル番号がＳＣＨシンボルをマッピングしているｔ３〜ｔ１３である場合、あらかじめ抽出したＣＣＨシンボルから自局宛のＳＣＨシンボルが割り当てられているリソースを特定し、当該リソースからのＳＣＨシンボルのみを抽出する。そして、リソースデマッピング部２０７は、抽出したＣＣＨシンボル及びＳＣＨシンボルをチャネル選択部２０８へ出力する。
【００４１】
チャネル選択部２０８は、シンボル番号情報に基づいて、リソースデマッピング部２０７から入力したシンボル番号ｔ０のＣＣＨシンボルを合成部２０９に出力し、リソースデマッピング部２０７から入力したシンボル番号ｔ３〜ｔ１３のＳＣＨシンボルをＳＣＨ復調部２１１へ出力する。
【００４２】
合成部２０９は、シンボル番号情報に基づいて、チャネル選択部２０８から入力したＣＣＨシンボルを合成してＣＣＨ復調部２１０へ出力する。ここで、合成方法としては、単純合成法または重み付け合成法等の種々の合成を用いることができる。
【００４３】
ＣＣＨ復調部２１０は、合成部２０９から入力したＣＣＨシンボルを復調してＣＣＨデータとして出力する。
【００４４】
ＳＣＨ復調部２１１は、チャネル選択部２０８から入力したＳＣＨシンボルを復調してＳＣＨデータとして出力する。この際、復調したＳＣＨデータを図示しない復号部により誤り訂正復号することにより、基地局装置１００において送信電力を低減したことに伴って品質劣化を生じたＰＤＳＣＨシンボルの劣化を最小限にすることができる。
【００４５】
以上で、通信端末装置２００の構成の説明を終える。
【００４６】
次に、基地局装置１００と基地局装置１００の周辺基地局とにおける送信電力の制御方法について、図３を用いて説明する。図３は、基地局装置１００と基地局装置１００の周辺基地局とにおける送信電力の制御方法を示す図である。
【００４７】
図３より、下りフレーム＃３０１がＭｅＮＢから送信され、下りフレーム＃３０２が小型ｅＮＢから送信される。なお、各フレームにおいて、参照信号（ＲＳ）（図３において斜線部分）が間欠的に振り分けられる。
【００４８】
図３に示すように、ＭｅＮＢは、ＯＦＤＭシンボルを時間上においてシフトせずに送信する。一方、小型ｅＮＢは、ＭｅＮＢの送信タイミングに対して、３ＯＦＤＭシンボル分時間上でシフトすることにより３ＯＦＤＭだけ遅延（遅延時間Ｔ）して送信する。その結果、ＭｅＮＢから送信する下りフレーム＃３０１のシンボル番号ｔ３〜ｔ４のＳＣＨシンボル＃３２０が、小型ｅＮＢから送信する下りフレーム＃３０２のシンボル番号ｔ０〜ｔ１のＣＣＨシンボル＃３２１と時間軸上で重なる。
【００４９】
従って、本実施の形態では、ＭｅＮＢの送信電力制御部１０６は、ＣＣＨシンボル＃３２１と時間軸上で重なるシンボル番号ｔ３〜ｔ４のＳＣＨシンボル＃３２０において、ＰＤＳＣＨシンボル（図３において網掛部分のシンボル）の送信電力を低減する。これにより、本実施の形態では、通信端末装置２００における小型ｅＮＢのＣＣＨシンボルの品質劣化を抑制することができる。
【００５０】
次に、基地局装置１００の送信電力制御部１０６における送信電力を制御する方法について説明する。
【００５１】
３ＧＰＰ  ＴＳ  ３６．２１３  ５．２の「Downlink power allocation」節に記載されているダウンリンクの送信電力制御方法を下記のように変更する。
【００５２】
即ち、送信電力を低減するＰＤＳＣＨシンボル数がＫ（Ｋは、任意の正の整数）の場合には、シンボル番号ｔ３〜（ｔ３＋Ｋ）のシンボルに対して（１）式により送信電力を低減する制御を行う。
【数１】
2012034211.tif 000003
【００５３】
また、基地局装置１００がＭＩＭＯ通信を行う場合において４セル固有アンテナの場合には、（２）式により送信電力を低減する制御を行う。
【数２】
2012034211.tif 000004
【００５４】
また、基地局装置１００がＭＩＭＯ通信を行う場合において４セル固有アンテナ以外の場合には、（３）式により送信電力を低減する。
【数３】
2012034211.tif 000005
【００５５】
図４は、基地局装置１００と基地局装置１００の周辺基地局とにおける送信電力の他の制御方法を示す図である。
【００５６】
図４より、ＭｅＮＢは、シンボル番号ｔ３〜ｔ４の送信電力を低減することに代えて、シンボル番号ｔ３〜ｔ５の送信電力を低減するようにしてもよい。
【００５７】
図４は、実際にＣＣＨシンボルが振り分けられたＯＦＤＭシンボル数に関わりなく、ＣＣＨシンボルを振り分けることができる最大ＯＦＤＭシンボル数の３ＯＦＤＭシンボルの送信電力を低減するものである。これにより、送信電力の制御処理を簡易にすることができる。
【００５８】
このように、本実施の形態によれば、周辺基地局装置のＣＣＨシンボルの送信タイミングと重なる送信タイミングのＰＤＳＣＨシンボルの送信電力を低減するので、周辺基地局装置のＣＣＨシンボルの品質劣化を防ぐことができる。また、本実施の形態によれば、ＣＣＨシンボルをパンクチャしないので所定のリソースを確保することができる。また、本実施の形態によれば、特定のＯＦＤＭシンボルに送信電力の高いＰＤＳＣＨシンボルが集中しないので、周辺基地局装置に与える干渉を抑制することができる。
【００５９】
なお、本実施の形態において、ＭｅＮＢの送信電力制御部１０６においてのみＣＣＨシンボルと重なるＰＤＳＣＨシンボルの送信電力を低減したが、本発明はこれに限らず、小型ｅＮＢの送信電力制御部１０６においてのみＣＣＨシンボルと重なるＰＤＳＣＨシンボルの送信電力を低減してもよい。
【００６０】
（実施の形態２）
図５は、本発明の実施の形態２に係る基地局装置５００の構成を示すブロック図である。
【００６１】
図５に示す基地局装置５００は、送信電力制御部１０６に代えて送信電力制御部５０１を有する。なお、図５において、図１と同一構成である部分には同一の符号を付してその説明を省略する。また、本実施の形態において、通信端末装置は図２と同一構成であるので、その説明を省略する。
【００６２】
基地局装置５００は、ＣＣＨ変調部１０１と、ＳＣＨ変調部１０２と、チャネル選択部１０３と、リソースマッピング部１０４と、ＩＦＦＴ部１０５と、付加部１０７と、送信タイミング調整部１０８と、ＲＦ部１０９と、アンテナ１１０と、送信電力制御部５０１とから主に構成される。
【００６３】
ＩＦＦＴ部１０５は、リソースマッピング部１０４から入力したＣＣＨシンボルまたはＳＣＨシンボルに対してＯＦＤＭ変調処理である逆離散フーリエ変換処理を行ってＯＦＤＭ信号を形成する。また、ＩＦＦＴ部１０５は、形成したＯＦＤＭ信号を送信電力制御部５０１へ出力する。
【００６４】
送信電力制御部５０１は、入力したシンボル番号情報に従って、ＩＦＦＴ部１０５から入力したＯＦＤＭ信号のＳＣＨシンボルのうちのＰＤＳＣＨシンボルの送信電力制御を行う。この際、送信電力制御部５０１は、入力したタイミング情報に基づいて、周辺基地局のＣＣＨシンボルの送信タイミングと重なるＰＤＳＣＨシンボルの送信電力を、所定量だけ低減する制御を行う。また、送信電力制御部５０１は、入力した周辺基地局情報に含まれる周辺基地局装置におけるＣＣＨシンボルが振り分けられるＯＦＤＭシンボル数の情報（ＣＦＩ）に基づいて、送信電力を低減するＯＦＤＭシンボルのシンボル数を適応的に変化させる。そして、送信電力制御部５０１は、送信電力制御を行ったＯＦＤＭシンボルを付加部１０７へ出力する。なお、送信電力制御部５０１における詳細な動作については後述する。
【００６５】
付加部１０７は、送信電力制御部５０１から入力したＯＦＤＭ信号の後半部をＣＰとして複製し、複製したＣＰをＯＦＤＭ信号の先頭に配置する。また、付加部１０７は、ＣＰ付きＯＦＤＭ信号に対して、隣接シンボル間の連続性を保持するために窓関数を乗じる。また、付加部１０７は、窓関数を乗じたＯＦＤＭ信号を送信タイミング調整部１０８へ出力する。
【００６６】
次に、基地局装置５００と基地局装置５００の周辺基地局とにおける送信電力の制御方法について、図６を用いて説明する。図６は、基地局装置５００と基地局装置５００の周辺基地局とにおける送信電力の制御方法を示す図である。
【００６７】
図６より、下りフレーム＃６０１がＭｅＮＢから送信され、下りフレーム＃６０２が小型ｅＮＢから送信される。
【００６８】
図６に示すように、ＭｅＮＢは、ＯＦＤＭシンボルを時間軸上においてシフトせずに送信する。一方、小型ｅＮＢは、ＭｅＮＢの送信タイミングに対して、３ＯＦＤＭシンボル分時間上でシフトすることにより３ＯＦＤＭだけ遅延して送信する。その結果、ＭｅＮＢから送信するサブフレーム＃６１０のシンボル番号ｔ３〜ｔ４のＳＣＨシンボル＃６３０が、小型ｅＮＢから送信するサブフレーム＃６２０のシンボル番号ｔ０〜ｔ１のＣＣＨシンボル＃６３１と時間軸上で重なる。
【００６９】
従って、本実施の形態では、ＭｅＮＢの送信電力制御部５０１は、ＣＣＨシンボル＃６３１と時間軸上で重なるシンボル番号ｔ３〜ｔ４のＳＣＨシンボル＃６３０において、ＰＤＳＣＨシンボル（図６において網掛部分のシンボル）の送信電力を低減する。
【００７０】
また、ＭｅＮＢから送信するサブフレーム＃６１１のシンボル番号ｔ３のＳＣＨシンボル＃６３２が、小型ｅＮＢから送信するサブフレーム＃６２１のシンボル番号ｔ０のＣＣＨシンボル＃６３３と時間軸上で重なる。
【００７１】
この際、本実施の形態では、ＭｅＮＢの送信電力制御部５０１は、周辺基地局情報により小型ｅＮＢにおいてＣＣＨシンボルがマッピングされるシンボル番号を知ることができる。従って、ＭｅＮＢの送信電力制御部５０１は、小型ｅＮＢのＣＣＨシンボル＃６３３と時間軸上で重なるシンボル番号ｔ３のＳＣＨシンボル＃６３２において、ＰＤＳＣＨシンボル（図６において網掛部分のシンボル）の送信電力を低減する。
【００７２】
なお、基地局装置５００の送信電力制御部５０１における送信電力を制御する方法は、上記の実施の形態１の送信電力制御部１０６における送信電力を制御する方法と同一であるので、その説明を省略する。
【００７３】
このように、本実施の形態では、上記の実施の形態１の効果に加えて、周辺基地局装置のＣＣＨシンボルを振り分けるＯＦＤＭシンボル数に応じて、送信電力を低減するＯＦＤＭシンボル数を適応的に変える。これにより、本実施の形態によれば、送信電力を低減するＯＦＤＭシンボル数を固定にする場合に比べて、送信電力を低減する基地局装置が送信するＰＤＳＣＨシンボルの特性劣化を抑制することができる。
【００７４】
なお、本実施の形態において、ＭｅＮＢの送信電力制御部１０６においてのみＣＣＨシンボルと重なるＰＤＳＣＨシンボルの送信電力を低減したが、本発明はこれに限らず、小型ｅＮＢの送信電力制御部１０６においてのみＣＣＨシンボルと重なるＰＤＳＣＨシンボルの送信電力を低減してもよい。
【００７５】
（実施の形態３）
図７は、本発明の実施の形態３に係る基地局装置と当該基地局装置の周辺基地局とにおける送信電力の制御方法を示す図である。
【００７６】
なお、本実施の形態において、基地局装置は図１と同一構成であるとともに、通信端末装置は図２と同一構成であるので、その説明を省略する。また、以下の説明においては、図１の符号を用いて説明する。
【００７７】
本実施の形態における基地局装置１００は、自局がＭｅＮＢまたは小型ｅＮＢであるか否かに関わりなく、送信電力制御部１０６において常に送信電力を低減する制御を行う点のみが上記の実施の形態１と異なる。
【００７８】
図７より、下りフレーム＃７０１がＭｅＮＢから送信され、下りフレーム＃７０２が小型ｅＮＢから送信される。
【００７９】
図７に示すように、ＭｅＮＢは、ＯＦＤＭシンボルを時間軸上においてシフトせずに送信する。一方、小型ｅＮＢは、ＭｅＮＢの送信タイミングに対して、３ＯＦＤＭシンボル分時間軸上においてシフトすることにより３ＯＦＤＭだけ遅延して送信する。その結果、ＭｅＮＢから送信するサブフレーム＃７１０のシンボル番号ｔ３〜ｔ４のＳＣＨシンボル＃７３０が、小型ｅＮＢから送信するサブフレーム＃７２０のシンボル番号ｔ０〜ｔ１のＣＣＨシンボル＃７３１と時間軸上で重なる。
【００８０】
従って、本実施の形態では、ＭｅＮＢの送信電力制御部１０６は、ＣＣＨシンボル＃７３１と時間軸上で重なるシンボル番号ｔ３〜ｔ４のＳＣＨシンボル＃７３０において、ＰＤＳＣＨシンボル（図７において網掛部分のシンボル）の送信電力を低減する。
【００８１】
また、ＭｅＮＢから送信するサブフレーム＃７１１のシンボル番号ｔ３のＳＣＨシンボル＃７３２が、小型ｅＮＢから送信するサブフレーム＃７２１のシンボル番号ｔ０のＣＣＨシンボル＃７３３と時間軸上で重なる。
【００８２】
従って、ＭｅＮＢの送信電力制御部１０６は、小型ｅＮＢのＣＣＨシンボル＃７３３と時間軸上で重なるシンボル番号ｔ３のＳＣＨシンボル＃７３２において、ＰＤＳＣＨシンボル（図７において網掛部分のシンボル）の送信電力を低減する。また、本実施の形態では、ＳＣＨシンボル＃７３２に加えて、サブフレーム＃７１１のシンボル番号ｔ４のＳＣＨシンボルにおいて、ＰＤＳＣＨシンボルの送信電力も低減する。なお、図７の場合、サブフレーム＃７１１のシンボル番号ｔ４のＳＣＨシンボルにおいて、ＰＤＳＣＨシンボルの送信電力は低減しなくてもよい。
【００８３】
さらに、小型ｅＮＢから送信するサブフレーム＃７２０のシンボル番号ｔ１１〜ｔ１３のＳＣＨシンボル＃７３４が、ＭｅＮＢから送信するサブフレーム＃７１１のシンボル番号ｔ０〜ｔ２のＣＣＨシンボル＃７３５と時間軸上で重なる。
【００８４】
従って、小型ｅＮＢの送信電力制御部１０６は、ＭｅＮＢのＣＣＨシンボル＃７３５と時間軸上で重なるシンボル番号ｔ１１〜ｔ１３のＳＣＨシンボル＃７３４において、ＰＤＳＣＨシンボル（図７において網掛部分のシンボル）の送信電力を低減する。
【００８５】
なお、基地局装置５００の送信電力制御部５０１における送信電力を制御する方法は、上記の実施の形態１の送信電力制御部１０６における送信電力を制御する方法と同一であるので、その説明を省略する。
【００８６】
このように、本実施の形態では、上記の実施の形態１の効果に加えて、ＭｅＮＢと小型ｅＮＢの双方において、周辺基地局装置のＣＣＨシンボルの送信タイミングと送信タイミングが重なるＰＤＳＣＨシンボルの送信電力を低減する。これにより、本実施の形態によれば、全ての基地局装置のＣＣＨシンボルの品質劣化を抑制することができる。
【００８７】
上記の実施の形態１〜実施の形態３において、送信電力を低減したが、本発明はこれに限らず、送信電力が小さい通信端末装置宛のＰＤＳＣＨシンボルから順次選択し、選択したＰＤＳＣＨシンボルをＣＣＨシンボルと重なるＯＦＤＭシンボルに順次振り分けるようにしてもよい。また、上記の実施の形態１〜実施の形態３において、送信タイミングを３ＯＦＤＭ分時間軸上でシフトしたが、本発明はこれに限らず、ＭｅＮＢの制御チャネルシンボルと小型ｅＮＢの制御チャネルとが時間軸上で重ならないようにマッピングされていれば、時間軸上においてシフトしなくてもよい。
【００８８】
また、上記の実施の形態１〜実施の形態３において、時間軸上のＯＦＤＭシンボルのシフト量は、３ＯＦＤＭシンボルとしたが、本発明はこれに限らず、Ｎ（Ｎは、任意の正の整数）ＯＦＤＭシンボルでもよい。
【産業上の利用可能性】
【００８９】
本発明にかかる基地局装置及び送信電力制御方法は、例えばマクロセルを形成する基地局装置の下り制御チャネルのデータが、小型基地局から送信する下りデータチャネルのデータと干渉する場合において、下り制御チャネルに対する干渉を緩和するのに好適である。
【符号の説明】
【００９０】
１００  基地局装置
１０１  ＣＣＨ変調部
１０２  ＳＣＨ変調部
１０３  チャネル選択部
１０４  リソースマッピング部
１０５  ＩＦＦＴ部
１０６  送信電力制御部
１０７  付加部
１０８  送信タイミング調整部
１０９  ＲＦ部
１１０  アンテナ
【図１】
2012034211.tif 000006
【図２】
2012034211.tif 000007
【図３】
2012034211.tif 000008
【図４】
2012034211.tif 000009
【図５】
2012034211.tif 000010
【図６】
2012034211.tif 000011
【図７】
2012034211.tif 000012